(57)【要約】【課題】波形の表示に関する操作性を向上させる。【解決手段】物理量の経時変化を示す複数のデータに基づく複数の波形のすべてが１つの第５表示領域Ｄｅ５に収まるように各々の物理量のスケールを同一とした状態で第５表示領域Ｄｅ５に各波形を同時に表示する第１波形表示が可能な表示部１２と、第１波形表示を指示する指示操作に応じて表示部１２に第１波形表示を行わせる第１波形表示処理を実行する処理部とを備え、処理部は、第１波形表示の対象となっている各データのうちの１つを選択する選択操作に応じて、選択された１つのデータにおける物理量の最大値と最小値との間の幅が第５表示領域Ｄｅ５の座標軸Ａｐ方向の幅と一致するように座標軸Ａｐのスケールを変更して各波形（波形Ｗ１，Ｗ４）を表示する第２波形表示を表示部１２に行わせる第２波形表示処理を実行する。【選択図】図５
2017133836.tif 000002
【特許請求の範囲】
【請求項１】
物理量の経時変化を示す複数のデータに基づく複数の波形のすべてが１つの波形表示領域に収まるように各々の物理量のスケールを同一とした状態で当該波形表示領域に当該各波形を同時に表示する第１波形表示が可能な表示部と、前記第１波形表示を指示する指示操作が可能な操作部と、前記指示操作に応じて前記表示部に前記第１波形表示を行わせる第１波形表示処理を実行する処理部とを備えた電子機器であって、
前記操作部は、前記第１波形表示が行われている状態において当該第１波形表示の対象となっている各データのうちの１つを選択する選択操作が可能に構成され、
前記処理部は、前記選択操作に応じて、前記選択された１つのデータにおける前記物理量の最大値と最小値との間の幅が前記波形表示領域における当該物理量の座標軸の方向の幅と一致するように当該物理量の座標軸のスケールを変更して前記各波形を表示する第２波形表示を前記表示部に行わせる第２波形表示処理を実行する電子機器。
【請求項２】
前記処理部は、前記第２波形表示処理において、前記選択操作によって選択されたデータに対応する前記波形を他の前記波形とは異なる表示形態で表示させる請求項１記載の電子機器。
【請求項３】
前記操作部は、前記第２波形表示が行われている状態において前記波形表示領域に対する接触操作がされたときに操作信号を出力可能に構成され、
前記処理部は、前記操作信号の出力に応じて前記第２波形表示処理を終了して前記第１波形表示処理を実行する請求項１または２記載の電子機器。
【請求項４】
表示部、操作部および処理部を備えた電子機器に対して波形表示の処理を実行させる表示プログラムであって、
物理量の経時変化を示す複数のデータに基づく複数の波形のすべてが１つの波形表示領域に収まるように各々の物理量のスケールを同一とした状態で当該波形表示領域に当該各波形を同時に表示する第１波形表示を前記操作部に対する指示操作に応じて前記表示部に行わせる第１波形表示処理を前記処理部に実行させ、
前記第１波形表示が行われている状態において当該第１波形表示の対象となっている各データのうちの１つを選択する選択操作が前記操作部に対してされたときに、前記選択された１つのデータにおける前記物理量の最大値と最小値との間の幅が前記波形表示領域における当該物理量の座標軸の方向の幅と一致するように当該物理量の座標軸のスケールを変更して前記各波形を表示する第２波形表示を前記表示部に行わせる第２波形表示処理を前記処理部に実行させる表示プログラム。
【発明の詳細な説明】
【技術分野】
【０００１】
本発明は、表示部、操作部および処理部を備えた電子機器、並びにその電子機器に対して波形表示の処理を実行させる表示プログラムに関するものである。
【背景技術】
【０００２】
この種の機器として、下記特許文献１に開示された波形表示装置が知られている。この波形表示装置は、測定部、操作部、表示部、制御部および記憶部を備え、複数の信号波形を重ねた状態で表示部に表示可能に構成されている。また、この波形表示装置では、変化量が多い信号波形の上に、変化量が少ない信号波形が重なって表示される。このため、この波形表示装置では、変化量が多い信号波形によって変化量が少ない信号波形の視認が妨げられる事態が回避されて、各信号波形を確実に認識することが可能となっている。
【先行技術文献】
【特許文献】
【０００３】
【特許文献１】特開２０１１−１４５０７０号公報（第７−９頁、第２図）
【発明の概要】
【発明が解決しようとする課題】
【０００４】
ところが、上記の波形表示装置には、改善すべき以下の課題が存在する。すなわち、上記の波形表示装置では、複数の信号波形を重ねた状態で表示することが可能となっているが、各波形のスケールが大きく異なる場合において、各信号波形の内容を詳細に調べようとするときに不便なことがある。具体的には、電圧値の経時変化を示す２つの波形を表示させた場合において、一方の電圧値のスケールがｍＶ単位で、他方の電圧値のスケールがｋＶ単位のときには、他方の波形のスケールが一方の波形のスケールの１００万倍となり、両波形を重ねて表示させたときには、一方の波形が直線状に表示されることとなる。このため、この波形の内容を詳細に調べようとするときには、表示部の表示倍率を高めることで、電圧値の座標軸方向に波形を拡大して表示させる操作が必要となる。また、一般的に、表示部の表示倍率を高めたときには、波形が時間軸方向にも拡大されて、時間軸方向の波形の表示範囲が狭くなるため、表示画像を時間軸方向にスクロールさせる操作も必要となる。このように、この波形表示装置には、波形の表示に関する操作が煩雑なことがあり、この点の改善が望まれている。
【０００５】
本発明は、かかる課題を解決すべくなされたものであり、波形の表示に関する操作性を向上し得る電子機器および表示プログラムを提供することを主目的とする。
【課題を解決するための手段】
【０００６】
上記目的を達成すべく請求項１記載の電子機器は、物理量の経時変化を示す複数のデータに基づく複数の波形のすべてが１つの波形表示領域に収まるように各々の物理量のスケールを同一とした状態で当該波形表示領域に当該各波形を同時に表示する第１波形表示が可能な表示部と、前記第１波形表示を指示する指示操作が可能な操作部と、前記指示操作に応じて前記表示部に前記第１波形表示を行わせる第１波形表示処理を実行する処理部とを備えた電子機器であって、前記操作部は、前記第１波形表示が行われている状態において当該第１波形表示の対象となっている各データのうちの１つを選択する選択操作が可能に構成され、前記処理部は、前記選択操作に応じて、前記選択された１つのデータにおける前記物理量の最大値と最小値との間の幅が前記波形表示領域における当該物理量の座標軸の方向の幅と一致するように当該物理量の座標軸のスケールを変更して前記各波形を表示する第２波形表示を前記表示部に行わせる第２波形表示処理を実行する。なお、「一致する」との技術的事項には、「完全に一致する」との技術的事項だけではなく、「ほぼ一致する」との技術的事項や、「物理量の最大値と最小値との間の幅が物理量の座標軸の方向の幅に最大限近づく」との技術的事項も含まれる。
【０００７】
また、請求項２記載の電子機器は、請求項１記載の電子機器において、前記処理部は、前記第２波形表示処理において、前記選択操作によって選択されたデータに対応する前記波形を他の前記波形とは異なる表示形態で表示させる。
【０００８】
また、請求項３記載の電子機器は、請求項１または２記載の電子機器において、前記操作部は、前記第２波形表示が行われている状態において前記波形表示領域に対する接触操作がされたときに操作信号を出力可能に構成され、前記処理部は、前記操作信号の出力に応じて前記第２波形表示処理を終了して前記第１波形表示処理を実行する。
【０００９】
また、請求項４記載の表示プログラムは、表示部、操作部および処理部を備えた電子機器に対して波形表示の処理を実行させる表示プログラムであって、物理量の経時変化を示す複数のデータに基づく複数の波形のすべてが１つの波形表示領域に収まるように各々の物理量のスケールを同一とした状態で当該波形表示領域に当該各波形を同時に表示する第１波形表示を前記操作部に対する指示操作に応じて前記表示部に行わせる第１波形表示処理を前記処理部に実行させ、前記第１波形表示が行われている状態において当該第１波形表示の対象となっている各データのうちの１つを選択する選択操作が前記操作部に対してされたときに、前記選択された１つのデータにおける前記物理量の最大値と最小値との間の幅が前記波形表示領域における当該物理量の座標軸の方向の幅と一致するように当該物理量の座標軸のスケールを変更して前記各波形を表示する第２波形表示を前記表示部に行わせる第２波形表示処理を前記処理部に実行させる。
【発明の効果】
【００１０】
請求項１記載の電子機器、および請求項４記載の表示プログラムによれば、第１波形表示が行われている状態において第１波形表示の対象の各データの１つが選択されたときに、選択されたデータにおける物理量の最大値と最小値との間の幅が波形表示領域における物理量の座標軸の方向の幅と一致するように物理量の座標軸のスケールのスケールを変更して各波形を表示する第２波形表示を表示部に行わせることにより、拡大表示操作を何回も行って波形を拡大させたり、拡大した波形を時間軸方向にスクロールさせたりする煩雑な操作を行うことなく、所望の波形を簡易な操作で見易い状態で表示させて、その波形における物理量の変化を容易に把握することができる。このため、この電子機器および表示プログラムによれば、波形の表示に関する操作性を十分に向上させることができる。
【００１１】
また、請求項２記載の電子機器によれば、第２波形表示処理において、選択操作によって選択されたデータに対応する波形を他の波形とは異なる表示形態で表示させることにより、選択されたデータに対応する波形と他の波形とを明確に区別することができるため、選択されたデータに対応する波形についての物理量の変化をさらに容易に把握することができる。
【００１２】
また、請求項３記載の電子機器によれば、第２波形表示が行われている状態において波形表示領域に対する接触操作がされたときに、操作部から出力される操作信号に応じて第２波形表示処理を終了して第１波形表示処理を実行することにより、簡易な操作で第２波形表示から第１波形表示へ切り替えることができるため、他の波形についての物理量の変化を把握するためにデータを選択し直す作業の効率を十分に向上させることができる。
【図面の簡単な説明】
【００１３】
【図１】携帯型端末１の構成を示す構成図である。
【図２】初期画像Ｇｉの表示画像図である。
【図３】第１一覧画像Ｇ１の表示画像図である。
【図４】第１波形表示画像Ｇｗ１の表示画像図である。
【図５】第２波形表示画像Ｇｗ２の表示画像図である。
【発明を実施するための形態】
【００１４】
以下、電子機器および表示プログラムの実施の形態について、添付図面を参照して、説明する。
【００１５】
最初に、図１に示す携帯型端末１（例えば、スマートフォン）の構成について説明する。携帯型端末１は、電子機器の一例であって、同図に示すように、記憶部１１、表示部１２、操作部１３、入出力部１４、カメラ１５および処理部１６を備えて構成され、各種の処理を実行する端末として機能する。また、携帯型端末１は、図外の音声入出力部を備えて電話機としても機能する。
【００１６】
記憶部１１は、後述する第１波形表示処理および第２波形表示処理を処理部１６に実行させる表示プログラムＰｄを記憶する。また、記憶部１１は、測定装置２（図１参照）から出力されて入出力部１４を介して入力した測定データＤｍ、カメラ１５から処理部１６に出力された写真データＤｐ、および入出力部１４を介して入力したり操作部１３を用いて入力したりした文書データＤｄ等を記憶する。この場合、測定データＤｍが、物理量（電圧、電流、抵抗および電力等）の経時変化を示すデータの一例に相当する。
【００１７】
表示部１２は、処理部１６の制御に従って各種の画像を表示する。具体的には、表示部１２は、記憶部１１に記憶されている各データ（上記した測定データＤｍ、写真データＤｐおよび文書データＤｄ等）の識別が可能な識別情報の一例として、データの生成日時、データサイズおよびデータ形式（例えば、「測定data」、「撮像data」、「文書data」など）を示す文字情報を一覧にした第１一覧画像Ｇ１（図３参照）を表示する。また、表示部１２は、第１一覧画像Ｇ１の対象とするデータの条件を入力するための条件入力画像Ｇｃ（同図参照）を表示する。
【００１８】
また、表示部１２は、図４に示す第１波形表示画像Ｇｗ１を表示する第１波形表示を行う。この場合、同図に示すように、この第１波形表示画像Ｇｗ１では、複数の測定データＤｍに基づく複数の波形（ロギンググラフ）Ｗ１〜Ｗ４（以下、区別しないときには「波形Ｗ」ともいう）のすべてが表示部１２の第５表示領域Ｄｅ５（１つの波形表示領域に相当する）に収まるように各々の物理量のスケールを同一とした状態で、各波形Ｗが第５表示領域Ｄｅ５に同時に表示される。
【００１９】
また、表示部１２は、図５に示す第２波形表示画像Ｇｗ２を表示する第２波形表示を行う。この場合、同図に示すように、この第２波形表示画像Ｇｗ２では、第１波形表示の対象となっている各測定データＤｍ（第１波形表示画像Ｇｗ１内の波形Ｗ１〜Ｗ４に対応する各測定データＤｍ）の中から選択された１つの測定データＤｍにおける物理量の最大値と最小値との間の幅が、第５表示領域Ｄｅ５における物理量の座標軸Ａｐの方向（同図における上下方向）の幅と一致するように物理量の座標軸Ａｐのスケールが変更されて各波形Ｗ１〜Ｗ４が表示される。
【００２０】
操作部１３は、各種の操作ボタン（図示せず）を備えて構成され、これらのボタンが操作されたときに操作信号を出力する。また、操作部１３は、表示部１２の表面側に配設された図外のタッチパネルを備えており、タッチパネルに対する操作（タッチ操作）が行われたときにも操作信号を出力する。この場合、この携帯型端末１では、操作部１３のタッチパネルに対する操作として、外部機器としての測定装置２からの測定データＤｍの入力を指示する操作、第１一覧画像Ｇ１の対象とするデータの条件を入力する条件入力操作、第１一覧画像Ｇ１の表示を指示する操作、第１波形表示画像Ｇｗ１の表示（第１波形表示の実行）を指示する指示操作、第１波形表示が行われている状態において第１波形表示の対象となっている各データのうちの１つを選択する選択操作（第２波形表示画像Ｇｗ２の表示（第２波形表示の実行）を指示する操作）、および第２波形表示の終了（第１波形表示への切り替え）を指示する操作などを行うことが可能となっている。また、表示部１２に表示されている第１一覧画像Ｇ１、第１波形表示画像Ｇｗ１および第２波形表示画像Ｇｗ２をスクロールさせる操作、これらの画像を縮小表示させたり拡大表示させたりする操作（ピンチイン操作およびピンチアウト操作）、カメラ１５に対して撮像を指示する撮像操作（シャッター操作）、並びに文字（文書）を入力する操作などを行うことも可能となっている。
【００２１】
入出力部１４は、処理部１６の制御に従い、測定装置２から出力（送信）される測定データＤｍを入力（受信）する。この場合、入出力部１４および測定装置２は、無線通信で測定データＤｍの入出力（送受信）を行う。
【００２２】
カメラ１５は、操作部１３に対して撮像操作（シャッター操作）がされたときに画像を撮像して写真データＤｐを出力する。
【００２３】
処理部１６は、操作部１３から出力される操作信号に従って携帯型端末１を構成する各部を制御する。また、処理部１６は、記憶部１１に記憶されている表示プログラムＰｄに従って各種の画像を表示部１２に表示させる処理を実行する。この場合、処理部１６は、操作部１３に対する上記した指示操作に応じて表示部１２に第１波形表示を行わせる（第１波形表示画像Ｇｗ１を表示させる）第１波形表示処理を実行する。また、処理部１６は、操作部１３に対する上記した選択操作に応じて表示部１２に第２波形表示を行わせる（第２波形表示画像Ｇｗ２を表示させる）第２波形表示処理を実行する。
【００２４】
次に、携帯型端末１の使用方法、および携帯型端末１の動作について、図面を参照して説明する。
【００２５】
この携帯型端末１では、外部から入力したデータを記憶部１１に記憶させることが可能となっている。例えば、図１に示す測定装置２によって測定された測定データＤｍを入力して記憶部１１に記憶させるときには、操作部１３を操作して測定データＤｍの入力を指示する。この際に、操作部１３が操作信号を出力し、処理部１６が操作信号に従って入出力部１４を制御して、測定装置２との間における通信を開始させる。次いで、測定装置２を操作して測定データＤｍの出力（送信）を開始する。続いて、入出力部１４が、測定データＤｍを入力（受信）し、処理部１６が、その測定データＤｍを記憶部１１に記憶させる。
【００２６】
また、この携帯型端末１は、カメラ１５を備えており、操作部１３に対する撮像操作によってカメラ１５で撮像した写真の写真データＤｐが、処理部１６の制御によって記憶部１１に記憶される。
【００２７】
また、この携帯型端末１では、記憶部１１に記憶されている測定データＤｍに基づく波形Ｗを表示部１２に表示させることが可能となっている。例えば、記憶部１１に複数の測定データＤｍが記憶されている場合において、その中から所望の複数の測定データＤｍを選択して、その測定データＤｍに基づく波形Ｗを表示させるときには、図２に示すように、表示部１２に表示されている初期画像Ｇｉ内のアイコンＩｉの表示部位をタッチ操作（タッチパネルに対するタップ操作）する。この際に、操作部１３が操作信号を出力し、処理部１６が記憶部１１から表示プログラムＰｄを読み出す。
【００２８】
次いで、処理部１６は、図３に示すように、表示部１２の表示領域Ｄｅにデータ情報表示画像Ｇｄを表示させる。この場合、データ情報表示画像Ｇｄの第１表示領域Ｄｅ１には、第１一覧画像Ｇ１の対象とするデータの条件を入力するための条件入力画像Ｇｃ、および条件を満たすデータについての識別情報だけの一覧表示を指示するアイコンＩｓが表示される。また、データ情報表示画像Ｇｄの第２表示領域Ｄｅ２には、選択したデータに対して実行させる各処理を示すアイコンＩｄ１〜Ｉｄ３が表示される。
【００２９】
また、データ情報表示画像Ｇｄの第３表示領域Ｄｅ３には、図３に示すように、記憶部１１に記憶されている各データの識別情報をデータ毎に一覧にした第１一覧画像Ｇ１が表示される。この第１一覧画像Ｇ１では、一例として、５つの帯状領域Ｄｂを設け、１つの帯状領域Ｄｂに１つのデータを割り当てて、各帯状領域Ｄｂに各データの識別情報が表示される。また、この第１一覧画像Ｇ１では、同図に示すように、各帯状領域Ｄｂに、そのデータを選択したことを示すチェックマークＭｃを表示するサークルＭｒが表示される。この場合、データの数が第３表示領域Ｄｅ３に識別情報を表示可能な数（この例では、５つ）を超えるときには、処理部１６は、操作部１３に対するスクロール操作（タッチパネルに対するスワイプ操作やフリック操作）に応じて第１一覧画像Ｇ１をスクロールさせることで、表示される識別情報を切り替える。なお、上記したように、初期画像Ｇｉ内のアイコンＩｉをタッチ操作したときには、条件入力画像Ｇｃに対する条件の入力、およびアイコンＩｓに対する操作をすることなく、記憶部１１に記憶されている全ての各データの識別情報が第１一覧画像Ｇ１に一覧表示される。
【００３０】
続いて、第１一覧画像Ｇ１に一覧表示されている各識別情報の中から所望の測定データＤｍを探し、その測定データＤｍの識別情報が表示されている帯状領域Ｄｂをタッチ操作する。この際に、処理部１６は、図３に示すように、その帯状領域Ｄｂ内のサークルＭｒ内に、その帯状領域Ｄｂに対応するデータが選択されたことを示すチェックマークＭｃを表示させる。この場合、同図に示すように、４つの測定データＤｍに対応する帯状領域Ｄｂをタッチ操作して、これらの４つの測定データＤｍを選択したものとする。
【００３１】
次いで、選択した測定データＤｍに基づく波形Ｗの表示を指示する。具体的には、図３に示すように、データ情報表示画像Ｇｄの第２表示領域Ｄｅ２に表示されているアイコンＩｄ１〜Ｉｄ３（以下、区別しないときには「アイコンＩｄ」ともいう）の中から、波形表示処理に対して割り当てられたアイコンＩｄ１の表示部位をタッチ操作する。
【００３２】
これに応じて、処理部１６は、選択された４つの測定データＤｍを記憶部１１から読み出し、続いて、表示プログラムＰｄに従って第１波形表示処理を実行する。この第１波形表示処理では、処理部１６は、各測定データＤｍによって示される物理量の経時変化（測定装置２によって予め決められたサンプリング周期で測定された物理量の各値）を、横軸を時間軸Ａｔ（図４参照）とし、縦軸を物理量の座標軸Ａｐ（同図参照）とする平面直角座標系にプロットして得られる４つの波形Ｗ１〜Ｗ４を特定する。
【００３３】
次いで、処理部１６は、表示部１２を制御して、図４に示すように、各波形Ｗ１〜Ｗ４を含む第１波形表示画像Ｇｗ１を表示領域Ｄｅの第５表示領域Ｄｅ５に表示させると共に、４つの測定データＤｍの識別情報だけを表示領域Ｄｅの第４表示領域Ｄｅ４における各帯状領域Ｄｂに一覧で表示させる。なお、選択した測定データＤｍの数が多いときには、操作部１３に対するスクロール操作に応じて、第４表示領域Ｄｅ４に一覧で表示させる識別情報をスクロール表示させることができる。
【００３４】
この場合、第１波形表示画像Ｇｗ１では、図４に示すように、波形Ｗ１〜Ｗ４のすべてが第５表示領域Ｄｅ５（１つの波形表示領域）に収まるように各々の物理量のスケールを同一とした状態で、各波形Ｗが第５表示領域Ｄｅ５に同時に表示される。つまり、各波形Ｗのうちの最もスケールが大きい波形Ｗ（この例では、波形Ｗ３）のスケールに合わせて、他の波形Ｗ（この例では、波形Ｗ１，Ｗ２，Ｗ４）の座標軸Ａｐ方向の幅が調整（縮小）される。
【００３５】
ここで、第１波形表示画像Ｇｗ１では、上記したように、各波形Ｗのうちの最もスケールが大きい波形Ｗの波形にスケールに合わせて他の波形Ｗの縦軸方向の幅が縮小されるため、図４に示すように、物理量の値が小さい波形Ｗ（この例では、波形Ｗ１，Ｗ２）では、物理量の変化を把握するのが困難となる。この場合、拡大表示操作（ピンチアウト操作）を行って波形Ｗを拡大することで、物理量の変化を把握することが可能ではあるが、縮小率が高いときには、拡大表示操作を何回も行う必要がある。また、一般的に、拡大表示を行ったときには、時間軸Ａｔ方向の波形Ｗの表示範囲が狭くなるため、時間軸Ａｔ方向に波形Ｗをスクロールさせるスクロール操作も必要となる。
【００３６】
このような、煩雑な行為を回避するため、この携帯型端末１には、選択したデータの波形Ｗを見易い状態で拡大表示する操作を容易に行える機能が備えられている。具体的には、第１波形表示画像Ｇｗ１が表示されている状態（第１波形表示が行われている状態）において、表示部１２の第４表示領域Ｄｅ４に一覧で表示されている各測定データＤｍの識別情報の中から拡大表示したい波形Ｗ（例えば波形Ｗ１）に対応する識別情報が表示されている帯状領域Ｄｂをタッチ操作して１つの測定データＤｍを選択する。なお、このタッチ操作が選択操作に相当する。
【００３７】
これに応じて、処理部１６は、第２波形表示処理を実行する。この第２波形表示処理では、処理部１６は、タッチ操作された帯状領域Ｄｂに対応する測定データＤｍ（選択された１つのデータ：以下、「測定データＤｍ１」ともいう）によって示される物理量の最大値および最小値を特定する。続いて、処理部１６は、表示部１２を制御して、図５に示すように、測定データＤｍ１における物理量の最大値と最小値との間の幅が、第５表示領域Ｄｅ５における物理量の座標軸Ａｐの方向（同図における上下方向）の幅と一致するように物理量の座標軸Ａｐのスケールを変更した状態の各波形Ｗで構成された第２波形表示画像Ｇｗ２を第５表示領域Ｄｅ５に表示する第２波形表示を行わせる。この場合、時間軸Ａｔのスケールは変更することなく、第１波形表示画像Ｇｗ１におけるスケールと同じスケールを維持させる。
【００３８】
このような第２波形表示処理を処理部１６に実行させることで、拡大表示操作を何回も行って波形Ｗを拡大させたり、拡大した波形Ｗを時間軸Ａｔ方向にスクロールさせたりする煩雑な操作を行うことなく、所望の波形Ｗを簡易な操作で見易い状態で表示させて、その波形Ｗにおける物理量の変化を容易に把握することが可能となる。
【００３９】
この場合、同図では、波形Ｗ１の全体、および波形Ｗ４の一部だけが表示されているが、第５表示領域Ｄｅ５の表示部位を上下方向にスクロール操作することにより、波形Ｗ４の他の部分および波形Ｗ２，Ｗ３，Ｗ５を表示させることができる。また、処理部１６は、第２波形表示処理において、選択された測定データＤｍに対応する波形Ｗ１を他の波形Ｗよりも太く（異なる表示形態の一例）表示させる。このような表示形態で波形Ｗ１を表示させることで、選択された測定データＤｍに対応する波形Ｗ１と他の波形Ｗとを明確に区別することができるため、波形Ｗ１についての物理量の変化の把握が容易となる。なお、「他の波形とは異なる表示形態」は、上記した線の太さを異ならせる形態に限定されず、例えば、色を異ならせることもできる。
【００４０】
また、この携帯型端末１では、簡易な操作で第２波形表示を第１波形表示に切り替えることが可能となっている。具体的には、第２波形表示が行われている状態において第５表示領域Ｄｅ５（波形表示領域）をタッチ操作（接触操作に相当し、例えば、ロングタップ操作やダブルタップ操作）する。この際に、処理部１６は、操作部１３から出力される操作信号に応じて表示部１２を制御して、第２波形表示処理を終了して第１波形表示処理を実行する。このような簡易な操作による第２波形表示から第１波形表示への切り替えが可能なため、この携帯型端末１では、他の波形Ｗについての物理量の変化を把握するために測定データＤｍを選択し直す作業の効率が向上されている。
【００４１】
次いで、他の波形Ｗに対応する測定データＤｍを選択して第２波形表示を行わせるときには、第１波形表示が行われている状態において、上記した選択操作を行う。
【００４２】
このように、この携帯型端末１および表示プログラムＰｄによれば、第１波形表示が行われている状態において第１波形表示の対象の各測定データＤｍの１つが選択されたときに、選択された測定データＤｍにおける物理量の最大値と最小値との間の幅が第５表示領域Ｄｅ５の座標軸Ａｐ方向の幅と一致するように座標軸Ａｐのスケールを変更して各波形Ｗを表示する第２波形表示を表示部１２に行わせることにより、拡大表示操作を何回も行って波形Ｗを拡大させたり、拡大した波形Ｗを時間軸Ａｔ方向にスクロールさせたりする煩雑な操作を行うことなく、所望の波形Ｗを簡易な操作で見易い状態で表示させて、その波形Ｗにおける物理量の変化を容易に把握することができる。このため、この携帯型端末１および表示プログラムＰｄによれば、波形Ｗの表示に関する操作性を十分に向上させることができる。
【００４３】
また、この携帯型端末１および表示プログラムＰｄによれば、第２波形表示処理において、選択操作によって選択されたデータに対応する波形Ｗを他の波形Ｗとは異なる表示形態で表示させることにより、選択された測定データＤｍに対応する波形Ｗと他の波形Ｗとを明確に区別することができるため、選択されたデータに対応する波形Ｗについての物理量の変化をさらに容易に把握することができる。
【００４４】
また、この携帯型端末１および表示プログラムＰｄによれば、第２波形表示が行われている状態において第５表示領域Ｄｅ５をタッチ操作したときに、操作部１３から出力される操作信号に応じて第２波形表示処理を終了して第１波形表示処理を実行することにより、簡易な操作で第２波形表示から第１波形表示へ切り替えることができるため、他の波形Ｗについての物理量の変化を把握するために測定データＤｍを選択し直す作業の効率を十分に向上させることができる。
【００４５】
なお、電子機器および表示プログラムは、上記の構成に限定されない。例えば、携帯型端末１の入出力部１４と測定装置２とが無線通信で測定データＤｍの入出力（送受信）を行う例について上記したが、入出力部１４と測定装置２とが通信用ケーブルを介して測定データＤｍの入出力を行う構成を採用することもできる。
【００４６】
また、第１波形表示画像Ｇｗ１および第２波形表示画像Ｇｗ２の表示態様（画像のデザイン）は一例であって、適宜変更することができる。
【００４７】
また、記憶部１１を備え、その記憶部１１に記憶されている測定データＤｍを対象として第１波形表示処理および第２波形表示処理を実行する例について上記したが、外部の記憶部に対して第１波形表示処理および第２波形表示処理を実行する構成（記憶部１１を備えていない構成）を採用することもできる。
【００４８】
また、電子機器としての携帯型端末１に適用した例について上記したが、電子機器は、携帯型端末１に限定されず、パーソナルコンピューターや測定装置が含まれる。したがって、パーソナルコンピューターや測定装置２において上記した表示プログラムＰｄを実行することで、携帯型端末１が有する機能をパーソナルコンピューターや測定装置２に付加することができる。
【００４９】
また、各種の操作（指示操作、選択操作、接触操作等）として操作部１３のタッチパネルに対するタッチ操作を行う例について上記したが、携帯型端末１にキーボードやポインティングデバイスの入力用デバイスを接続して、これらの入力用デバイスを用いた操作を上記した各種の操作として行う構成を採用することもできる。
【符号の説明】
【００５０】
１  携帯型端末
１２  表示部
１３  操作部
１６  処理部
Ｄｅ５  第５表示領域
Ｄｍ  測定データ
Ｇｗ１  第１波形表示画像
Ｇｗ２  第２波形表示画像
Ｗ１〜Ｗ４  波形
【図１】
2017133836.tif 000003
【図２】
2017133836.tif 000004
【図３】
2017133836.tif 000005
【図４】
2017133836.tif 000006
【図５】
2017133836.tif 000007